(57)【特許請求の範囲】
【請求項１】
未現像写真フィルムの現像処理を行うフィルムプロセッサと、現像済写真フィルムのコマの情報を光電変換により画像データとして取得するフィルムスキャナとを備えているフィルム処理装置であって、
前記フィルムプロセッサにおける前記未現像写真フィルムの挿入部と、前記フィルムスキャナにおける前記現像済写真フィルムの供給部とを前記フィルム処理装置の同じ側に開口させることにより当該挿入部と当該供給部とを同じ方向からオペレータが操作し得る位置に配置すると共に、
前記フィルムプロセッサの排出部から排出された現像済写真フィルムを前記フィルムスキャナの供給部に送り込む供給搬送機構を備え、この供給搬送機構は前記フィルムスキャナの供給部に対する前記現像済写真フィルムの人為的な供給を許すフィルム処理装置。
【請求項２】
未現像写真フィルムの現像処理を行うフィルムプロセッサと、現像済写真フィルムのコマの情報を光電変換により画像データとして取得するフィルムスキャナとを備えているフィルム処理装置であって、
前記フィルムプロセッサにおける前記未現像写真フィルムの挿入部と、前記フィルムスキャナにおける前記現像済写真フィルムの供給部とを同じ方向からオペレータが操作し得る位置に配置すると共に、
前記フィルムプロセッサの排出部から排出された現像済写真フィルムを前記フィルムスキャナの供給部に送り込む供給搬送機構を備え、この供給搬送機構は前記フィルムスキャナの供給部に対する前記現像済写真フィルムの人為的な供給を許し、
前記フィルムプロセッサの排出部から送り出された現像済写真フィルムを前記供給搬送機構で前記フィルムスキャナの供給部に送り込んで写真フィルムから前記画像データを取得する自動スキャニングモードでの制御と、
前記フィルムスキャナの前記挿入部に人為的に挿入された前記現像済写真フィルムから前記画像データを取得するマニュアルスキャニングモードでの制御とを実行するフィルム処理装置。
【請求項３】
前記フィルムプロセッサの上部位置に現像済写真フィルムの排出部を形成し、フィルムスキャナの下部に前記挿入部を形成、この挿入部と排出部とが上下に位置する位置関係となるよう前記フィルムプロセッサの上方にフィルムスキャナを載置している請求項１又は２記載のフィルム処理装置。
【請求項４】
前記フィルムスキャナは、前記供給部から供給された現像済写真フィルムから画像データを取得した後には、この現像済写真フィルムを前記供給部と反対側に排出する請求項１〜３のいずれか１項に記載のフィルム処理装置。
【発明の詳細な説明】
【技術分野】
【０００１】
本発明は、未現像写真フィルムの現像処理を行うフィルムプロセッサと、現像済写真フィルムのコマの情報を光電変換により画像データとして取得するフィルムスキャナとを備えているフィルム処理装置に関する。
【背景技術】
【０００２】
上記のように構成された、フィルム処理装置として特許文献１に記載されるものが存在する。この特許文献１では、フィルム処理装置（写真フィルム自動現像装置）では、フィルム引き出し部からの未現像写真フィルムを現像処理部に送って現像処理を行い、この現像処理後の現像済写真フィルムを乾燥部で乾燥するようにフィルムプロセッサが構成され、このフィルムプロセッサから送られる現像済写真フィルムをフィルムスキャナ（画像読み取り装置）に供給して画像データ（撮影データ）を取得する処理と、フィルムプロセッサから送られる現像済写真フィルムをフィルムスキャナに送らずに直接排出する処理とを行える。
【０００３】
このフィルム処理装置では、フィルムプロセッサから送られた搬送方向切り替え機構によって現像済写真フィルムを直接排出する搬送経路と、フィルムスキャナに送る搬送経路との何れかに選択して送るように搬送系が構成され、写真フィルムに貼付された識別ラベルの内容から画像読み取りの要否を判断して搬送方向の切り替えを行っている。また、フィルムスキャナで取得した（読み取った）画像データは写真プリント装置に伝送することも可能に構成されている。
【０００４】
【特許文献１】特開平１１‐２３４４７６号公報  （段落番号〔００１５〕〜〔００３６〕、図１、図２）
【発明の開示】
【発明が解決しようとする課題】
【０００５】
ＤＰ店において、撮影済（未現像）の写真フィルムからのプリントの依頼を受けた場合の処理形態を考えると、例えば、特許文献１に記載されるフィルム処理装置が設置されている場合には、未現像写真フィルムをセットして処理を実行するだけで、その写真フィルムに撮影されているコマの画像データを自動的に取得し、画像データを取得した後に、即座にプリント処理を実行することも可能となる。
【０００６】
しかしながら、写真フィルムの搬送形態を考えると、特許文献１のように装置の内部に搬送経路を形成したものでは、リプリントの処理を行う際に、ピースフィルムをフィルムスキャナに挿入することが困難であり、搬送系に写真フィルムの詰まりを発生した場合に詰まりの除去が困難であると考えられる。特に、搬送方向を切り替える部位には故障や写真フィルムの詰まりの発生頻度が比較的高いものとなるが、特許文献１では、図面から判断して、この部位が装置の内部に配置されているため、詰まりの除去のための開放構造を備える等、構造を複雑にするものとなる。
【０００７】
本発明の目的は、未現像写真フィルムの現像処理を行う際の操作、現像済写真フィルムから画像データを取得する際の操作をできるだけ容易に行い得るフィルム処理装置を合理的に構成する点にある。
【課題を解決するための手段】
【０００８】
本発明の特徴は、未現像写真フィルムの現像処理を行うフィルムプロセッサと、現像済写真フィルムのコマの情報を光電変換により画像データとして取得するフィルムスキャナとを備えているフィルム処理装置であって、
前記フィルムプロセッサにおける前記未現像写真フィルムの挿入部と、前記フィルムスキャナにおける前記現像済写真フィルムの供給部とを前記フィルム処理装置の同じ側に開口させることにより当該挿入部と当該供給部とを同じ方向からオペレータが操作し得る位置に配置すると共に、
前記フィルムプロセッサの排出部から排出された現像済写真フィルムを前記フィルムスキャナの供給部に送り込む供給搬送機構を備え、この供給搬送機構は前記フィルムスキャナの供給部に対する前記現像済写真フィルムの人為的な供給を許す点にある。
【０００９】
この構成により、フィルムプロセッサの排出部から排出された現像済写真フィルムを供給搬送機構がフィルムスキャナの供給部に送り込むことにより現像済写真フィルムのコマ画像データを取得できる。また、例えば、リプリントを行う場合には、供給部に対してピースフィルムを人為的に供給して画像データを取得することが可能となる。更に、プロセッサ本体とスキャナ本体との中間に供給搬送機構を配置しているので、現像済フィルムの詰まりの発生時には除去を容易に行える。その結果、未現像写真フィルムの現像から画像データの取得までの一連の処理を迅速に行う良好な面を損なうことなく、フィルムスキャナに現像済写真フィルムを直接セットして画像データを取得でき、写真フィルムの搬送系も簡素化するフィルム処理装置が合理的に構成された。
【００１０】
本発明の特徴は、未現像写真フィルムの現像処理を行うフィルムプロセッサと、現像済写真フィルムのコマの情報を光電変換により画像データとして取得するフィルムスキャナとを備えているフィルム処理装置であって、
前記フィルムプロセッサにおける前記未現像写真フィルムの挿入部と、前記フィルムスキャナにおける前記現像済写真フィルムの供給部とを同じ方向からオペレータが操作し得る位置に配置すると共に、
前記フィルムプロセッサの排出部から排出された現像済写真フィルムを前記フィルムスキャナの供給部に送り込む供給搬送機構を備え、この供給搬送機構は前記フィルムスキャナの供給部に対する前記現像済写真フィルムの人為的な供給を許し、前記フィルムプロセッサの排出部から送り出された現像済写真フィルムを前記供給搬送機構で前記フィルムスキャナの供給部に送り込んで写真フィルムから前記画像データを取得する自動スキャニングモードでの制御と、
前記フィルムスキャナの前記挿入部に人為的に挿入された前記現像済写真フィルムから前記画像データを取得するマニュアルスキャニングモードでの制御とを実行する点にある。
【００１１】
この構成により、自動スキャニングモードを実行することにより、未現像写真フィルムの現像処理をフィルムプロセッサで現像し、現像済写真フィルムを供給搬送機構がフィルムスキャナに供給して画像データを取得でき、フィルムスキャナの供給部に現像済写真フィルムを人為的にセットしてマニュアルスキャニングモードで実行することにより未現像写真フィルムから画像データを取得できる。
【００１２】
本発明は、前記フィルムプロセッサの上部位置に現像済写真フィルムの排出部を形成し、フィルムスキャナの下部に前記挿入部を形成、この挿入部と排出部とが上下に位置する位置関係となるよう前記フィルムプロセッサの上方にフィルムスキャナを載置しても良い。
【００１３】
この構成により、フィルムプロセッサの上部位置の排出部から排出した現像済写真フィルムを、このフィルムプロセッサの上方に配置したフィルムスキャナの供給部に対して短距離で送り込むことが可能となる。
【００１４】
本発明は、前記フィルムスキャナが、前記供給部から供給された現像済写真フィルムから画像データを取得した後には、この現像済写真フィルムを前記供給部と反対側に排出しても良い。
【００１５】
この構成により、フィルムスキャナで画像データを取得した現像済写真フィルムは、フィルムスキャナにおいて供給部と反対側に排出されるものとなり、供給部の側に現像済写真フィルムを排出するもののように取り扱い性を悪化させることもない。
【発明を実施するための最良の形態】
【００１６】
以下、本発明の実施形態を図面に基づいて説明する。
〔全体構成〕
図１に示すように、未現像写真フィルムの現像処理を行うフィルムプロセッサＦＰと、現像済写真フィルムのコマの情報を光電変換により画像データとして取得するフィルムスキャナＦＳとを上下位置に配置すると共に、フィルムプロセッサＦＰの排出部から排出された現像済写真フィルムを前記フィルムスキャナＦＳの供給部に送る供給搬送系に対して、現像済写真フィルムを前記供給部に送り込む供給状態と、外部に送り出す排出状態とに切換自在な供給搬送機構Ａとを備えてフィルム処理装置が構成されている。
【００１７】
このフィルム処理装置は、通信回線１を介して画像処理装置Ｇに接続され、この画像処理装置Ｇは、通信回線２を介して写真プリント装置Ｐに接続している。画像処理装置Ｇは、通信機能と画像処理機能とを有するコンピュータ３を備えると共に、ディスプレイ４とキーボード５とマウス６とを備えている。この構成により、フィルム処理装置で取得した画像データは、通信回線１を介して画像処理装置Ｇに伝送され、この画像処理装置Ｇから通信回線２を介して写真プリント装置Ｐに伝送され、この写真プリント装置Ｐにおいて印画紙等のプリント媒体にプリントされる。
【００１８】
本発明のフィルム処理装置は、取得した画像データを写真プリント装置Ｐに対して直接伝送しても良い。また、写真プリント装置Ｐは銀塩式の印画紙を用いるものばかりでなく、インクジェット型ものや、昇華型のものを用いても良い。
【００１９】
本発明では、フィルムプロセッサＦＰに送り込む以前の写真フィルムを未現像写真フィルムと称し、フィルムプロセッサＦＰで現像処理を行った後の写真フィルムを現像済写真フィルムと称しているが、夫々の区別は明らかであるので、以下、未現像写真フィルムと現像済写真フィルムとをフィルムＦと略称する。
【００２０】
〔フィルムプロセッサ〕
前記フィルムプロセッサＦＰは、図１〜図３に示すように、暗箱構造となる筐体構造のプロセッサ本体１０の前部にフィルム挿入部１１を配置し、プロセッサ本体１０の内部に現像処理部１２と乾燥処理部１３とを備え、プロセッサ本体１０の後部に排出部１４を配置し、フィルム挿入部１１から前記排出部１４に亘って搬送機構１５を形成している。また、プロセッサ本体１０の前部位置には各種情報を表示する液晶ディスプレイ１６Ａと複数の操作ボタン１６Ｂを有したコントロールパネル１６を備え、プロセッサ本体１０の内部には該フィルムプロセッサ全体の制御を実現する制御ユニット１７を備えている。
【００２１】
尚、プロセッサ本体１０の前部とは、フィルム挿入部１１やコントロールパネル１６をオペレータが操作するために立つ側であり、前記フィルムスキャナＦＳにおいても、プロセッサ本体１０の同じ方向を前部と称する。
【００２２】
また、前記プロセッサ本体１０の後部には排出ブロック１０Ａを上方に突出する形態で形成し、この排出ブロック１０Ａに形成した開口によって前記排出部１４を形成している。この排出部１４から送り出されるフィルムＦを受け止めるフィルム貯留部１８を前記プロセッサ本体１０の上面に形成している。
【００２３】
前記フィルム挿入部１１には、開閉自在な蓋体１１Ａを備えており、このフィルム挿入部１１にはカートリッジＣａに巻き取る形態で収容されたロール状のフィルムＦを前記搬送機構１５に受け渡す作動系と、フィルムＦの後端を切断する切断ユニット（図示せず）を備えている。
【００２４】
１３５サイズのフィルムＦの現像処理を例に挙げると、図５に示すように、カートリッジＣａから引き出したフィルムＦの先端に粘着テープ等を用いてリーダＬを取り付け、蓋体１１Ａを開放して、このリーダＬが先行するようにフィルム挿入部１１にカートリッジＣａをセットする。次に、蓋体１１Ａを閉じた後、前記コントロールパネル１６の所定の操作ボタン１６Ｂを操作することで、制御ユニット１７の制御によってフィルムの搬送が開始され、現像処理部１２での現像処理と、乾燥処理部１３での乾燥処理の後に排出部１４からリーダＬを先頭にしてフィルムＦが排出される。
【００２５】
前記リーダＬは樹脂製でフィルムＦと同程度の柔軟性を持つシート状であり、幅方向での一端には搬送用の複数のパーフォレーションが形成されている。
【００２６】
図面には示していないが、前記現像処理部１２は、１つの発色現像槽、１つの漂白槽、２つの定着槽、３つの安定槽を樹脂材料で単一化した処理ユニット１２Ａを備えており、前記搬送機構１５のうち、この処理ユニット１２Ａの部位でフィルムＦを搬送する部位には処理ユニット１２Ａに形成した前記発色現像槽、漂白槽、定着槽、安定槽に対して、この順序で前記リーダＬ及びフィルムＦを搬送する複数の圧着型のローラを備えている。また、前記乾燥処理部１３には現像処理部１２から送り出されたフィルムＦに対して、外部の空気を加熱して吹き付けるブロワ１３Ａを備えている。
【００２７】
前記搬送機構１５は、前述したようにフィルム挿入部１１から排出部１４に亘ってフィルムＦを搬送する機能を有するものであり、この搬送を行うため搬送経路の各部に圧着ローラ１５Ａを備え、この複数の圧着ローラ１５Ａを電動モータ（図示せず）で同期駆動する駆動系を備えている。この搬送機構１５のうち、前記排出部１４に隣接するものを特に排出ローラ１５Ｅと称している。
【００２８】
前記フィルム貯留部１８は、図３及び図４に示すように、プロセッサ本体１０の上部に備えた透明樹脂製のカバー１８Ａで構成されている。このカバー１８Ａは、後部位置（フィルムＦの搬送方向で上流側）から前部位置（フィルムの搬送方向で下流側）に亘って前記リーダＬの幅方向の両端部に接触して案内するガイド部１８Ｇを形成し、このカバー１８Ａの後端側から中央部に亘ってフィルムＦが上下方向に通過するスリット１８Ｓを形成し、更に、このカバー１８Ａの前端側に前記リーダＬを保持する保持部１８Ｋを形成している。前記ガイド部１８Ｂのうち後端側は、排出部１４から排出されたリーダＬの先端を上方に案内する傾斜面１８ＧＳを形成している。
【００２９】
このように排出部１４からリーダＬが排出される際に、前記供給搬送機構Ａが排出状態にある場合には、リーダＬの先端が前記カバー１８Ａに形成したガイド部１８Ｇの傾斜面１８ＧＳで案内されることで上方に持ち上げられ、この後、自重での滑動とフィルムＦからの押圧力とによって前記保持部１８Ｋに送り込まれる。このリーダＬに続くフィルムＦは前記スリット１８Ｓから貯留空間に落とし込まれる。
【００３０】
〔フィルムスキャナ〕
前記フィルムスキャナＦＳは、図１及び図２に示すように、筐体構造のスキャナ本体２０の下部にフィルムキャリア２１を配置し、このフィルムキャリア２１の下側に光源ユニット２２を配置し、このフィルムキャリア２１の上側にズームレンズ２３と光電変換ユニット２４とを配置し、このスキャナ本体２０の内部に制御ユニット２５を配置し、更に、スキャナ本体２０の前面にスタートボタン２６を備えている。このフィルムスキャナＦＳは、前記フィルムプロセッサＦＰに固定された一対の中間フレーム３０の上端に支持され、前記排出ブロック１０Ａの上部位置に配置されている
【００３１】
このフィルムスキャナＦＳのフィルムキャリア２１は、前記フィルムプロセッサＦＰの前部と同じ方向にフィルムＦの供給部２１Ａを形成しており、この供給部２１Ａから供給したフィルムＦをフィルムキャリア２１において後部側に向け水平方向に搬送しながらスキャニングを行い、このスキャニングを終了したフィルムＦを後部側（供給部２１Ａの反対側）から送り出し、フィルムスキャナＦＳの下面に形成したダクト２７から下方に送り出すようにフィルムＦの搬送経路が形成されている。
【００３２】
ダクト２７から下方に送り出されたフィルムＦを受け止めるフィルムストッカー２８が、前記フィルムプロセッサＦＰに備えている。また、フィルムキャリア２１にフィルムＦを搬送する際には、後述するように前記リーダＬを切り離す処理が行われる。
【００３３】
前記フィルムキャリア２１には前記搬送ローラ２１Ｂを駆動する搬送モータ（図示せず）と、フィルムＦの存否を判別する非接触型の存否センサＳＦと、フィルムＦの幅方向での端部にバーコード状に形成されたコード情報を取得するコードセンサ（図示せず）とを備えている。尚、存否センサＳＦは発光ダイオード等で成る光源Ｓａと、フォトダイオードやフォトトランジスタ等で成る受光素子Ｓｂとで構成されている。
【００３４】
前記光源ユニット２２はＲ（赤）・Ｇ（緑）・Ｂ（青）の３原色の発光ダイオード（図示せず）からの光線を上方に送り出す構造であり、前記ズームレンズ２３は、焦点距離の調節によってフィルムＦのコマの情報を設定された拡大率で前記光電変換ユニット２４の光電変換面に結像させる。この光電変換ユニット２４はＲ（赤）・Ｇ（緑）・Ｂ（青）の３原色に対応してＣＣＤ等の光電変換素子で成る３つのラインセンサ（図示せず）を備えている。
【００３５】
〔マニュアルスキャニングモードでの制御〕
この構成から、このフィルムスキャナＦＳを用いて、例えば、１３５サイズのフィルムＦのスキャニングを行う場合には、前記供給部２１Ａに対して前記供給搬送機構ＡからフィルムＦの先端を送り込む、又は、オペレータが人為的にフィルムＦの先端を送り込み、前記スタートボタン２６を操作してスキャニングを開始することにより、制御ユニット２５が搬送ローラ２１Ｂを駆動してフィルムキャリア２１でのフィルムＦの搬送を開始する。
【００３６】
この搬送時に光源ユニット２２からの光線をフィルムＦに照射し、フィルムＦのコマの情報を前記ズームレンズ２３が光電変換ユニット２４のラインセンサの光電変換面に結像させる。この光電変換ユニット２４ではフィルムの搬送速度と同期したタイミングでラインセンサから画像データを取得することになる。このように取得した画像データは、制御ユニット２５が前記通信回線１を介して画像処理装置Ｇのコンピュータ３に伝送する。
【００３７】
〔供給搬送機構〕
図２及び６（ａ）、（ｂ）に示すように、前記供給搬送機構Ａは前記一対の中間フレーム３０で挟まれる空間に配置されると共に、この中間フレーム３０に対して横向き姿勢の軸体４０を介して上下方向に揺動自在に支持したガイド板４１と、前記中間フレーム３０に対して支持された回動軸５０と一体的に揺動する揺動アーム５１に支持されたチャッカーＣと、これらを制御する制御ユニット３１このチャッカーＣから送り出されたリーダを受け止めるリーダトレイ３２とを有している。
【００３８】
前記ガイド板４１は、前記リーダＬの幅方向での両側部を圧着して搬送し得る幅に形成された下部ガイド板４１Ａと上部ガイド板４１Ｂとを備えると共に、前記リーダＬとフィルムＦとを送る遊転ローラ４２と、圧着型の供給搬送ローラ４３を備え、前記下部ガイド板４１Ａにおいて搬送方向で供給搬送ローラ４３より上流位置にはフィルムＦの幅より充分に広い幅の開放空間４１Ｓを形成してフィルムＦが自重で下方に弛む現象を許している。
【００３９】
前記遊転ローラ４２は、下部ガイド板４１Ａに対して自由回転状態で支持され、前記供給搬送ローラ４３は下部ガイド板４１Ａに支持された駆動ローラ４３Ａと、上部ガイド板４１Ｂに支持された圧着ローラ４３Ｂとで成り、このガイド板４１の側部には駆動ローラ４３Ａを駆動する搬送モータ４４を備えている。
【００４０】
また、前記フィルムＦの搬送方向でガイド板４１の下流端には第１センサＳ１を備え、この第１センサＳ１より更に下流側に固定刃４６Ａと、可動刃４６Ｂと、可動刃４６Ｂを作動させるカッターモータ４６Ｃとを有したカッター４６を備えている。
【００４１】
このガイド板４１はフィルムＦの搬送方向での上流側に位置する導入部Ｘを上下方向に変位させるように前記軸体４０の位置を設定してあり、この導入部Ｘを上方に引き上げるバネ４７（付勢機構の一例）を備え、このガイド板４１の姿勢を図６（ａ）に示す供給位置Ｘ１と、図６（ｂ）に示す排出位置Ｘ２とに切換自在な電磁ソレノイド４８（アクチュエータの一例）を備えている。尚、この電磁ソレノイド４８は駆動（通電）することにより、プランジャを退入させてガイド板４１を供給位置Ｘ１にセットし、非駆動（非通電）状態でプランジャを突出させ、前記バネ４７の付勢力によるガイド板４１を排出位置Ｘ２へのセットを許す。
【００４２】
前記チャッカーＣは、前記揺動アーム５１の揺動端に備えた第２センサＳ２と、駆動ローラ５２と、この駆動ローラ５２に圧着する圧着ローラ５３とで構成されている。このチャッカーＣは回動軸５０の回動によって図６（ａ）に示すチャック位置Ｃ１と、図６（ｂ）に示す受け渡し位置Ｃ２とに切り換え自在に構成され、この切り換えを行うように前記回動軸５０を駆動する回動モータ５４を前記中間フレーム３０に備えている。
【００４３】
図７に示すように、前記駆動ローラ５２は駆動軸５２Ａに対しフィルムＦを順方向に搬送する回転力を作用させる一方向クラッチ５２Ｂを介して前記揺動アーム５１に支持され、この駆動軸５２Ａの端部に被駆動ギヤ５５を備えている。中間フレーム３０には揺動アーム５１がチャック位置Ｃ１（図７（ａ）を参照）と、受け渡し位置Ｃ２（図７（ｂ）を参照）とにある状態で前記被駆動ギヤ５５に咬合するように２つの駆動ギヤ５６を備え、この２つの駆動ギヤ５６をプーリ５７とベルト５８とを介して駆動するチャッカーモータ５９を備えている。
【００４４】
チャッカーＣを受け渡し位置Ｃ２にセットした場合には、このチャッカーＣとガイド板４１の搬送終端との中間に前方の開放するループ形成空間Ｚを形成しており、この空間に透明樹脂製でトレイ状のループストッカー３３を備えることにより、送り出されたフィルムＦを大きく弛ませてループ状に貯留できるようにしている。
【００４５】
前記第１センサＳ１と第２センサＳ２とは、発光ダイオード等で成る光源Ｓａと、フォトダイオードやフォトトランジスタ等で成る受光素子Ｓｂとで構成されている。
【００４６】
この供給搬送機構Ａは、チャッカーＣの駆動ローラ５２を駆動するモータ類を揺動アーム５１に支持するように構成して良く、前記ガイド板４１に備えた搬送モータ４４を中間フレーム３０に備え、この搬送モータ４４からの駆動力を前記駆動ローラ４３Ａに伝えるギヤ類を備えても良い。
【００４７】
図面には示していないが、前記フィルムプロセッサＦＰの制御ユニット１７と、フィルムスキャナＦＳの制御ユニット２５と、供給搬送機構Ａの制御ユニット３１と、コンピュータ３とは信号経路を介して制御信号のアクセスを行えるように構成している。また、前記フィルムプロセッサＦＰの制御ユニット１７で現像処理されたフィルムＦのサイズ（種類）や長さの情報はフィルムスキャナＦＳの制御ユニット２５と、供給搬送機構Ａの制御ユニット３１と、コンピュータ３に伝送され、また、スキャニングの必要の有無の情報が前記コントロールパネル１６又はコンピュータ３から供給搬送機構Ａに伝送される。
【００４８】
このフィルム処理装置では、フィルム現像のみを行う場合や、前記フィルムプロセッサＦＰにセットしたフィルムキャリア２１で搬送可能なサイズ以外のフィルムＦの現像処理を行う場合には、取得した情報に基づいた判断により、電磁ソレノイド４８を非駆動状態に維持することにより、図４に示すようにフィルムプロセッサＦＰから排出されたフィルムＦをそのままフィルム貯留部１８に送り出す。
【００４９】
また、スキャニングを行う必要がある場合には、フィルムプロセッサＦＰから排出されたフィルムＦを前記供給搬送機構ＡがフィルムスキャナＦＳに供給する制御が行われる。このように、フィルムプロセッサＦＰから排出されたフィルムＦを前記供給搬送機構ＡからフィルムスキャナＦＳに供給する際の制御（自動スキャニングモードでの制御）を図９のフローチャートのように示すことが可能である。
【００５０】
〔自動スキャニングモードでの制御〕
つまり、フィルムＦに備えたリーダＬが排出部１４から排出される以前に、電磁ソレノイド４８を駆動してガイド板４１を供給位置Ｘ１にセットする。このセットの際に、チャッカーＣがチャック位置Ｃ１にない場合には、チャック位置Ｃ１にセットする（＃０１ステップ）。
【００５１】
このように、ガイド板４１を供給位置Ｘ１にセットした状態では前記供給搬送ローラ４３とチャッカーＣの駆動ローラ５２とが駆動される。そして、排出部１４からリーダＬが排出された場合には、図６（ａ）、図８（ａ）に示すように、前記フィルム貯留部１８のガイド部１８Ｇに形成した傾斜面１８ＧＳに沿って斜め上方にリーダＬが案内され、ガイド板４１の下部ガイド板４１Ａと、上部ガイド板４１Ｂとの間に導入され、前記遊転ローラ４２から供給搬送ローラ４３に送られ、この搬送モータ４４とチャッカーＣとで更に搬送される。
【００５２】
尚、この供給搬送ローラ４３とチャッカーＣとの搬送速度は等しく設定されるものであるが、この搬送に起因してフィルムプロセッサＦＰの排出部１４から排出されるフィルムＦに対して不必要な張力を作用させないように、供給搬送ローラ４３とチャッカーＣとの搬送速度は、排出部１４から排出されるフィルムＦの搬送速度より少し低速に設定されている。
【００５３】
このように供給搬送機構Ａに導入されたリーダＬの先端位置を第１センサＳ１と第２センサＳ２とが検出し、この検出タイミングと、供給搬送ローラ４３、チャッカーＣ夫々によるリーダＬの搬送速度とに基づいてリーダＬの位置が取得される（＃０２ステップ）。
【００５４】
リーダＬの位置が取得された後、フィルムＦが設定量だけ搬送されたタイミングで搬送を停止し、カッター４６の切断作動によってフィルムＦの先端を切断してリーダＬを切り離し、この後、チャッカーＣを駆動することにより、リーダＬをリーダトレイ３２に送り出し、更に、前記供給搬送ローラ４３とチャッカーＣとの駆動によってフィルムＦの先端（切断された部位）をチャッカーＣでチャックされる位置まで搬送して停止する（＃０３〜＃０６ステップ）。
【００５５】
前述したように、ガイド板４１でフィルムＦを搬送する際に、フィルムＦの搬送を一時的に停止させることや、これらの搬送速度を排出部１４から排出されるフィルムＦの搬送速度より低速に設定したことにより、排出部１４から継続的に排出されるフィルムＦの搬送速度と速度差を生ずるが、図８（ａ）に示すように、前記下部ガイド板４１Ａに形成した開放空間４１ＳからフィルムＦをループ状に弛ませて速度差を吸収する。
【００５６】
次に、図８（ｂ）に示すように、回動モータ５４の駆動により揺動アーム５１を受け渡し位置Ｃ２にセットする（＃０７ステップ）。
【００５７】
このように揺動アーム５１を受け渡し位置Ｃ２にセットする際には、供給搬送ローラ４３を駆動することによりガイド板４１からフィルムＦを送り出し、この送り出し速度よりチャッカーＣの移動速度が僅かに低速となるように（速度が一致しても良い）揺動アーム５１を作動させる。
【００５８】
このように揺動アーム５１を受け渡し位置Ｃ２にセットした後にも、供給搬送ローラ４３の駆動を継続的に行うことにより、図８（ｂ）に示すように、ループ形成空間Ｚに対してフィルムＦをループ状に弛ませ、ループストッカー３３によって受け止めるようにしている。
【００５９】
そして、フィルムプロセッサＦＰの排出部１４からフィルムＦの後端が排出されたことを第１センサＳ１が検出したタイミングをスキャニングを開始するタイミングとして、図８（ｃ）に示すように、チャッカーモータ５９を駆動することによりチャッカーＣの駆動ローラ５２でフィルムＦを送り出し、フィルムＦの先端をフィルムスキャナＦＳのフィルムキャリア２１の供給部２１Ａに送り込み、フィルムスキャナＦＳにおいてフィルムＦのコマの情報を光電変換によって画像データとして取得するスキャニングが行われるのである（＃０８、＃０９ステップ）。
【００６０】
チャッカーＣからフィルムＦを送り出す際の搬送速度は、フィルムスキャナＦＳのフィルムキャリア２１でのフィルムＦの搬送速度より低速に設定され、チャッカーＣから送り出したフィルムＦを、フィルムキャリア２１の搬送ローラ２１Ｂで搬送する際には、一方向クラッチ５２Ｂが駆動ローラ５２の送り出し方向への回転を許すため、このチャッカーＣから過剰にフィルムＦを送り出す不都合を回避すると同時に、フィルムＦに過大な張力を作用させず、円滑にフィルムＦを送り込めるようにしている。
【００６１】
また、フィルムプロセッサＦＰの排出部１４からフィルムＦの後端が排出されたタイミングでスキャニングを開始するタイミングとする理由は、フィルムプロセッサＦＰでの現像処理時のフィルムＦの搬送速度と比較してフィルムスキャナＦＳでのスキャニングにおけるフィルムＦの搬送速度が高速であるためである。
【００６２】
このようにチャッカーＣからフィルムＦを送り出す制御を行い、送り出しが完了したことを第２センサＳ２での検出結果から判別した後には、回動モータ５４の駆動によりチャッカーＣをチャック位置Ｃ１にセットし、電磁ソレノイド４８の駆動を解除してガイド板４１を排出位置Ｘ２にセットする（＃１０、＃１１ステップ）。
【００６３】
また、フィルムスキャナＦＳで取得した画像データは通信回線１を介してコンピュータ３に対して自動的に伝送され、必要な場合にはオペレータが色補正等の画像処理を行い、この後、写真プリント装置Ｐに伝送して印画紙等のプリント媒体にプリントする処理が行われるのである。
【００６４】
このように、本発明のフィルム処理装置では、フィルムプロセッサＦＰにフィルムＦをセットしてコントロールパネル１６の操作ボタン１６Ｂを操作して自動スキャニングモードでの制御を行うことにより、フィルムプロセッサＦＰの排出部１４から排出されたフィルムＦを供給搬送機構ＡがフィルムスキャナＦＳに送り込んでフィルムＦのコマの情報から画像データを取得して、コンピュータ３等への伝送を実現する。また、リプリントを行う場合のようにフィルムスキャナＦＳでフィルムＦの現像処理を行う場合には、フィルムスキャナＦＳにフィルムＦをセットしてスタートボタン２６を操作してマニュアルスキャニングモードでの制御を行うことにより、フィルムＦから画像データを取得することも可能である。
【００６５】
特に、フィルムプロセッサＦＰのフィルム挿入部１１と、コントロールパネル１６とを前部側に配置し、フィルムスキャナＦＳの供給部２１Ａとスタートボタン２６とを前部側に配置したのでオペレータが簡単な操作で、自動スキャニングモードでの処理と、マニュアルスキャニングモードでの処理をオペレータが容易に行える。
【００６６】
〔別実施形態〕
本発明は、上記した実施の形態以外に以下のように構成しても良い。
【００６７】
（ａ）供給搬送機構Ａを、フィルムプロセッサＦＰの排出部１４から排出されたフィルムＦに接触してフィルムＦの搬送方向を、フィルム貯留部１８と、該供給搬送機構Ａの搬送系とに切り換えて送る切換部材を備えて構成する。このように、フィルムＦの搬送方向を切り換える切換部材と、フィルムＦの搬送を行う機構とを別部材で構成することにより、供給搬送機構Ａの全体の姿勢を変更するものと比較して、可動部分を小さくして機構の小型化を実現する。
【００６８】
（ｂ）フィルムプロセッサＦＰの排出部１４からフィルムスキャナＦＳの供給部２１ＡにフィルムＦを搬送するための複数の搬送ローラや搬送ベルトと配置することによりチャッカーＣを用いずに供給搬送機構Ａを構成する。このように供給搬送機構Ａを構成する場合、フィルムプロセッサＦＰの排出部１４から排出されるフィルムＦとの速度差を吸収するために、搬送系の中間にループ形成部を形成する必要もあるが、一層確実な搬送を実現する。
【００６９】
（ｃ）フィルムスキャナＦＳのフィルムキャリア２１を、フィルムサイズに対応したものに自動的に切り換えるよう構成する。このように構成することにより、フィルムＦの現像処理からスキャニングまでの一連の自動的な処理の汎用性が向上する。
【産業上の利用可能性】
【００７０】
フィルムスキャナＦＳで取得した画像データから自動的なプリントを実現することや、取得した画像データをＣＤ−Ｒ等のメディアに自動的に記憶する等、取得した画像データの処理形態を、複数の処理形態の中から選択できる制御系を備えても良い。
【図面の簡単な説明】
【００７１】
【図１】フィルム処理装置と画像処理装置とを示す斜視図
【図２】フィルム処理装置の縦断側面図
【図３】フィルムプロセッサの平面図
【図４】フィルム貯留部の縦断側面図
【図５】リーダを取り付けたフィルムの斜視図
【図６】ガイド板を供給位置と排出位置に設定した供給搬送機構の側面図
【図７】チャッカーをチャック位置と受け渡し位置とに設定した際において駆動ローラを駆動する系を示す斜視図
【図８】フィルムプロセッサからフィルムスキャナへフィルムを供給する際の各部の作動形態を順次示す図
【図９】フィルム供給処理のフローチャート
【符号の説明】
【００７２】
１１          挿入部
１４          排出部
２１Ａ        供給部
Ａ            供給搬送機構
Ｆ            未現像写真フィルム・現像済写真フィルム
ＦＰ          フィルムプロセッサ
ＦＳ          フィルムスキャナ
【図１】
0004744223.tif 000002
【図２】
0004744223.tif 000003
【図３】
0004744223.tif 000004
【図４】
0004744223.tif 000005
【図５】
0004744223.tif 000006
【図６】
0004744223.tif 000007
【図７】
0004744223.tif 000008
【図８】
0004744223.tif 000009
【図９】
0004744223.tif 000010